(57)【特許請求の範囲】
【請求項１】
複数のＩＳＤＮ基本群インタフェース回線を、通信制御部に接続された回線インタフェース部に収容する場合におけるＩＳＤＮ基本群インタフェース回線のバックアップ方式であって、
複数のＩＳＤＮ端末装置をポイント−マルチポイントで接続した第一のＩＳＤＮ基本群インタフェース回線と、該第一のＩＳＤＮ基本群インタフェース回線に終端抵抗を有する回線切替部を介してそれぞれ接続された第二のＩＳＤＮ基本群インタフェース回線及び第三のＩＳＤＮ基本群インタフェース回線を用いて前記複数のＩＳＤＮ端末機とＩＳＤＮ網の間の通信を行う自動通話装置と、
前記第二もしくは第三のＩＳＤＮ基本群インタフェース回線の回線状態を監視する主制御部と、
前記複数のＩＳＤＮ端末と前記回線切替部との間において前記第一のＩＳＤＮ基本群インタフェース回線に終端抵抗を介在させて接続された自動機監視手段と、
前記主制御部で前記第二および第三のＩＳＤＮ基本群インタフェース回線が正常と判断したときには、前記回線切替部は前記第二のＩＳＤＮ基本群インタフェース回線をポイント−マルチポイント接続として、当該第二のＩＳＤＮ基本群インタフェース回線に接続された回線切替部側の終端抵抗を開放し、かつ、前記第三のＩＳＤＮ基本群インタフェース回線における前記回線切替部側の終端抵抗を付加するようにし、
前記主制御部で前記第二のＩＳＤＮ基本群インタフェース回線の回線障害を検出すると、前記通信制御部が、前記複数のＩＳＤＮ端末機を前記第三のＩＳＤＮ基本群インタフェース回線にポイント−マルチポイント接続すると共に、前記第二のＩＳＤＮ基本群インタフェース回線に前記第二のＩＳＤＮ基本群インタフェース回線における前記回線切替部側の終端抵抗を付加し、前記回線障害を検出した前記第二のＩＳＤＮ基本群インタフェース回線と前記回線インタフェース部とをポイント−ポイント接続すると共に、前記第三のＩＳＤＮ基本群インタフェース回線における前記切替部側の終端抵抗を開放し、更に、前記自動機監視装置側の終端抵抗を付加する制御手段と、
を設けたことを特徴とするＩＳＤＮ基本群インタフェース回線のバックアップ方式。
【発明の詳細な説明】
【０００１】
【発明が属する技術分野】
本発明は、ＩＳＤＮ基本群インタフェース回線の回線終端装置（ＮＣＴＥ）に接続された情報通信機器のＩＳＤＮ基本群インタフェース回線バックアップ方式に関する。
【０００２】
【従来の技術】
図４は、ＩＳＤＮ基本群インタフェース回線によるユーザ・網インタフェースシステムの概略構成図を示している。同図において、接続形態がＰ−ＭＰ（ポイント−マルチポイント）構成のＩＳＤＮ基本群インタフェース回線４１は回線終端装置（ＮＣＴＥ）４１１を介してＩＳＤＮ網４２に接続され、このＩＳＤＮ基本群インタフェース回線４１には複数のＩＳＤＮ端末装置４３１〜４３ＮがＰ−ＭＰ接続されている。また、接続形態がＰ−Ｐ（ポイント−ポイント）構成のＩＳＤＮ基本群インタフェース回線４４は回線終端装置（ＮＣＴＥ）４４１を介してＩＳＤＮ網４２に接続され、このＩＳＤＮ基本群インタフェース回線４４にはＩＳＤＮ端末装置４３１が接続されている。
【０００３】
この構成において、Ｐ−ＭＰ構成のＩＳＤＮ基本群インタフェース回線４１が回線障害により通信不良になった場合、Ｐ−Ｐ構成のＩＳＤＮ基本群インタフェース回線４４が正常であったとしても、ＩＳＤＮ基本群インタフェース回線４１に接続されたＩＳＤＮ端末装置４３２〜４３ＮをＩＳＤＮ基本群インタフェース回線４４に切り替え接続できる構成になっていないため、回線障害が生じたＩＳＤＮ基本群インタフェース回線４１に接続されている各ＩＳＤＮ端末装置４３２〜４３Ｎは、ＩＳＤＮ基本群インタフェース回線４１の障害が復旧しない限り通信することができない。なお、ＩＳＤＮ端末装置４３１はＩＳＤＮ基本群インタフェース回線４１と４４の両方に接続されているため、ＩＳＤＮ基本群インタフェース回線４１に回線障害が生じてもＩＳＤＮ基本群インタフェース回線４４を使用して通信を行うことができる。
【０００４】
【発明が解決しようとする課題】
上述した従来のユーザ・網インタフェースシステムでは、Ｐ−ＭＰ接続されるＩＳＤＮ端末装置４３１〜４３Ｎはそれぞれ独立したＩＳＤＮ端末装置となっており、自装置以外のＰ−ＭＰ接続された装置をバックアップする構成になっていないため、回線障害が生じたＩＳＤＮ基本群インタフェース回線４１に接続されている各ＩＳＤＮ端末装置４３２〜４３Ｎは、ＩＳＤＮ基本群インタフェース回線４１の障害が復旧しない限り通信できないという不具合があった。
【０００５】
本発明は、このような従来の課題を解決するためになされたもので、Ｐ−ＭＰ構成のＩＳＤＮ基本群インタフェース回線に回線障害が生じたときにＰ−ＭＰ接続されたＩＳＤＮ端末装置を正常なＩＳＤＮ基本群インタフェース回線に切り替え接続して有効に通信できるようにしたＩＳＤＮ基本群インタフェース回線のバックアップ方式を提供することを目的とする。
【０００６】
【課題を解決するための手段】
上記課題を解決するために本発明は、複数のＩＳＤＮ基本群インタフェース回線を、通信制御部に接続された回線インタフェース部に収容する場合におけるＩＳＤＮ基本群インタフェース回線のバックアップ方式であって、複数のＩＳＤＮ端末装置をポイント−マルチポイントで接続した第一のＩＳＤＮ基本群インタフェース回線と、該第一のＩＳＤＮ基本群インタフェース回線に終端抵抗を有する回線切替部を介してそれぞれ接続された第二のＩＳＤＮ基本群インタフェース回線及び第三のＩＳＤＮ基本群インタフェース回線を用いて前記複数のＩＳＤＮ端末機とＩＳＤＮ網の間の通信を行う自動通話装置と、前記第二もしくは第三のＩＳＤＮ基本群インタフェース回線の回線状態を監視する主制御部と、前記複数のＩＳＤＮ端末と前記回線切替部との間において前記第一のＩＳＤＮ基本群インタフェース回線に終端抵抗を介在させて接続された自動機監視手段と、前記主制御部で前記第二および第三のＩＳＤＮ基本群インタフェース回線が正常と判断したときには、前記回線切替部は前記第二のＩＳＤＮ基本群インタフェース回線をポイント−マルチポイント接続として、当該第二のＩＳＤＮ基本群インタフェース回線に接続された回線切替部側の終端抵抗を開放し、かつ、前記第三のＩＳＤＮ基本群インタフェース回線における前記回線切替部側の終端抵抗を付加するようにし、前記主制御部で前記第二のＩＳＤＮ基本群インタフェース回線の回線障害を検出すると、前記通信制御部が、前記複数のＩＳＤＮ端末機を前記第三のＩＳＤＮ基本群インタフェース回線にポイント−マルチポイント接続すると共に、前記第二のＩＳＤＮ基本群インタフェース回線に前記第二のＩＳＤＮ基本群インタフェース回線における前記回線切替部側の終端抵抗を付加し、前記回線障害を検出した前記第二のＩＳＤＮ基本群インタフェース回線と前記回線インタフェース部とをポイント−ポイント接続すると共に、前記第三のＩＳＤＮ基本群インタフェース回線における前記切替部側の終端抵抗を開放し、更に、前記自動機監視装置側の終端抵抗を付加する制御手段と、を設けたものである。
【０００７】
本発明によれば、各ＩＳＤＮ基本群インタフェース回線の回線状態を監視する制御手段がポイント−マルチポイント構成のＩＳＤＮ基本群インタフェース回線の回線障害を検出すると、この検出された障害情報をもとに回線切替手段を制御し、ポイント−マルチポイント構成のＩＳＤＮ基本群インタフェース回線を正常なＩＳＤＮ基本群インタフェース回線に切り替え接続する。これにより、正常なＩＳＤＮ基本群インタフェース回線を通してポイント−マルチポイント接続されたＩＳＤＮ端末装置の通信を可能にし、これらの通信をバックアップする。
【０００８】
【発明の実施の形態】
図１は、本発明によるＩＳＤＮ基本群インタフェース回線バックアップ方式の基本構成図である。同図において、ＩＳＤＮ基本群インタフェース回線のバックアップ方式は、接続形態がＰ−ＭＰ構成のＩＳＤＮ基本群インタフェース回線１１と、それ以外の少なくとも１つのＩＳＤＮ基本群インタフェース回線（Ｐ−Ｐ構成）１２を有し、これらＩＳＤＮ基本群インタフェース回線１１、１２はそれぞれの回線終端装置（ＮＣＴＥ）１１１及び１２１を介してＩＳＤＮ網１３に接続されている。
【０００９】
両ＩＳＤＮ基本群インタフェース回線１１、１２はＩＳＤＮ端末装置１４に引き込まれ、このＩＳＤＮ端末装置１４は両方のＩＳＤＮ基本群インタフェース回線１１または１２及びＩＳＤＮ網１３を通して通信ができる構成になっているとともに、ＩＳＤＮ端末装置１４は回線切替部１４１及び制御部１４２を備え、この回線切替部１４１には、接続形態がＰ−ＭＰ構成のＩＳＤＮ基本群インタフェース回線１５を介して複数のＩＳＤＮ端末装置１６Ａ〜１６ＧがＰ−ＭＰ接続されている。また、制御部１４２は両方のＩＳＤＮ基本群インタフェース回線１１及び１２の回線状態を監視する機能を有し、ＩＳＤＮ基本群インタフェース回線１１の回線障害を検出したときに回線切替部１４１を動作させてＰ−ＭＰ接続されたＩＳＤＮ端末装置１６Ａ〜１６ＧのＩＳＤＮ基本群インタフェース回線１５を正常なＩＳＤＮ基本群インタフェース回線１２に切り替え接続する。
【００１０】
この構成において、ＩＳＤＮ基本群インタフェース回線１１及び１２が正常に動作しているときは、各ＩＳＤＮ端末装置１４及び１６Ａ〜１６Ｇはそれぞれの接続されたＩＳＤＮ基本群インタフェース回線１１または１２により通信を行っている。
【００１１】
ここで、ＩＳＤＮ基本群インタフェース回線１１において、ＩＳＤＮ網１３側の障害または回線終端装置１１１の故障等によりＩＳＤＮ基本群インタフェース回線１１が通信不良になると、その回線障害が制御部１４２で検出され、この障害情報を基に回線切替部を制御して、Ｐ−ＭＰ接続されたＩＳＤＮ端末装置１６Ａ〜１６ＧのＩＳＤＮ基本群インタフェース回線１５を正常なＩＳＤＮ基本群インタフェース回線１２に切り替え接続する。これにより、Ｐ−ＭＰ接続されたＩＳＤＮ端末装置１６Ａ〜１６Ｇの通信をバックアップできる。
【００１２】
図２は、上記構成のＩＳＤＮ基本群インタフェース回線バックアップ方式を銀行等の自動機コーナーの自動通話装置に適用した場合の構成図である。同図において、図１と同一の構成要素には同一符号を付して説明すると、図１のＩＳＤＮ端末装置１４に相当する自動通話装置２１は、ＩＳＤＮ基本群インタフェース回線１１及び１２に接続された回線切替部２１１、この回線切替部２１１に回線インタフェース部（ＩＴＣ）２１２を介して接続された通信制御部２１３、この通信制御部２１３に接続された電話機インタフェース部２１４、及び回線切替部２１１と通信制御部２１３を制御する主制御部２１５を備える。
【００１３】
また、回線切替部２１１には、Ｐ−ＭＰ構成のＩＳＤＮ基本群インタフェース回線２２を介してターミナルアダプタ２３及び自動機監視装置２４が接続されている。ターミナルアダプタ２３はアナログ端末をＩＳＤＮ回線に接続するためのもので、このターミナルアダプタ２３には、緊急放送を行うための緊急放送用装置２５が接続されている。
【００１４】
自動機監視装置２４は自動機の動作状況を監視するもので、この自動機監視装置２４には、構内ＬＡＮ２６を介して自動預貯金機（ＡＴＭ）２７及び自動現金支払機（ＣＤ）２８が接続されている。また、自動預貯金機（ＡＴＭ）２７及び自動現金支払機（ＣＤ）２８の近傍には電話機２９がそれぞれ設置され、この各電話機２９は自動通話装置２１の電話機インタフェース部２１４に接続されている。この電話機２９は自動機の障害発生時にオフフックすることにより、自動通話装置２１及びＩＳＤＮ回線を通して図示省略の保守センタ等に自動発信し通話を行うためのものである。
【００１５】
なお、ＩＳＤＮ基本群インタフェース回線１１および１２は回線終端装置１１１、１２１からの４ラインの信号線で各ＩＳＤＮ端末装置と接続するためのものであり、Ｐ−ＭＰ接続を行った場合にはＩＳＤＮ端末装置を最大８台マルチ接続することができる。
【００１６】
この構成において、ＩＳＤＮ基本群インタフェース回線１１及び１２が正常に動作しているときは、各ＩＳＤＮ端末装置はそれぞれの接続されたＩＳＤＮ基本群インタフェース回線１１または１２により通信を行っている。すなわち、本実施の形態では、Ｐ−ＭＰ接続された端末装置であるターミナルアダプタ２３及び自動機監視装置２４の通信は、回線切替部２１１によりＩＳＤＮ基本群インタフェース回線１１にＩＳＤＮ基本群インタフェース回線２２を接続することで行われる。
【００１７】
ここで、ＩＳＤＮ基本群インタフェース回線１１において、ＩＳＤＮ網１３側の障害または回線終端装置１１１の故障等によりＩＳＤＮ基本群インタフェース回線１１が通信不良になると、ＩＳＤＮ基本群インタフェース回線１１に接続された回線インタフェース部２１２が通信不良を検出し、主制御部２１５に通知する。主制御部２１５では、検出された障害情報をもとに回線切替部２１１を制御し、Ｐ−ＭＰ接続されたＩＳＤＮ基本群インタフェース回線２２をＩＳＤＮ基本群インタフェース回線１２に切り替え接続する。これにより、ＩＳＤＮ基本群インタフェース回線１２を通してＰ−ＭＰ接続されたターミナルアダプタ２３及び自動機監視装置２４の通信を可能にし、これらの通信をバックアップすることができる。特に、緊急放送用装置２５のように緊急連絡用の通信を確保する手段として有効である。
【００１８】
なお、ＩＳＤＮ基本群インタフェース回線１１に接続されているはずの緊急放送用装置２５宛の着信については、ＩＳＤＮ基本群インタフェース回線１１とＩＳＤＮ基本群インタフェース回線１２を代表番号でＩＳＤＮ基本群インタフェース回線１１に登録し、ＩＳＤＮ基本群インタフェース回線１１の回線障害時はＩＳＤＮ基本群インタフェース回線１２に移行するような運用形態とする。
【００１９】
図３は、回線切替部の具体的な回路構成図である。同図において、回線切替部２１１は、主制御部２１５により制御される自動通報装置の終端抵抗切替器３１及びＩＳＤＮ基本群インタフェース回線の切替器３２を備える。
【００２０】
また、回線切替部２１１において、ＩＳＤＮ基本群インタフェース回線１１の回線終端装置１１１と自動通報装置の回線インタフェース部２１２間を結ぶ送信側信号線ＴＡ、ＴＢ間、及び受信側信号線ＲＡ、ＲＢ間には切替機３１の常開接点３１ａを介して終端抵抗３３がそれぞれ接続されている。さらに、ＩＳＤＮ基本群インタフェース回線１２の回線終端装置１２１と自動通報装置の回線インタフェース部２１２間を結ぶ送信側信号線ＴＡ、ＴＢ間、及び受信側信号線ＲＡ、ＲＢ間には切替機３１の常閉接点３１ｂを介して終端抵抗３４がそれぞれ接続されている。なお、３５は回線終端装置１１１、１２１側に付加された終端抵抗である。
【００２１】
また、回線切替部２１１において、自動機監視装置２４をＩＳＤＮ基本群インタフェース回線１１の回線終端装置１１１またはＩＳＤＮ基本群インタフェース回線１２の回線終端装置１２１に接続するＩＳＤＮ基本群インタフェース回線２２の送信側信号線ＴＡとＩＳＤＮ基本群インタフェース回線１１の送信側信号線ＴＡ間またはＩＳＤＮ基本群インタフェース回線２２の送信側信号線ＴＡ間を結ぶライン３６、及びＩＳＤＮ基本群インタフェース回線２２の送信側信号線ＴＢとＩＳＤＮ基本群インタフェース回線１１の送信側信号線ＴＢ間またはＩＳＤＮ基本群インタフェース回線１２の送信側信号線ＴＢ間を結ぶライン３７には切替器３２の切替接点３２ａ、３２ａが接続されている。さらに、ＩＳＤＮ基本群インタフェース回線２２の受信側信号線ＲＡとＩＳＤＮ基本群インタフェース回線１１の受信側信号線ＲＡ間またはＩＳＤＮ基本群インタフェース回線１２の受信側信号線ＲＡ間を結ぶライン３８、及びＩＳＤＮ基本群インタフェース回線２２の受信側信号線ＲＢとＩＳＤＮ基本群インタフェース回線１１の受信側信号線ＲＢ間またはＩＳＤＮ基本群インタフェース回線１２の受信側信号線ＲＢ間を結ぶライン３９には切替器３２の切替接点３２ｂ、３２ｂが接続されている。なお、４０は自動機監視装置２４側に付加された終端抵抗である。
【００２２】
この構成において、ＩＳＤＮ基本群インタフェース回線１１及び１２が正常な場合は、切替器３１の接点３１ａ、３１ｂ及び切替器３２の接点３２ａ、３２ｂは図３の実線に示す状態にあるため、ＩＳＤＮ基本群インタフェース回線１１がＰ−ＭＰ接続となり、その終端はＩＳＤＮ基本群インタフェース回線２２に接続された自動機監視装置２４の終端抵抗で行っており、また、ＩＳＤＮ基本群インタフェース回線１１に接続された回線インタフェース部２１２の終端抵抗３３は常開接点３１ａにより開放されている。また、ＩＳＤＮ基本群インタフェース回線１２は自動通話装置の回線インタフェース部２１２とＰ−Ｐ接続されているため、終端抵抗３４は常閉接点３１ｂにより付加されている。
【００２３】
一方、ＩＳＤＮ基本群インタフェース回線１１に回線障害が生じた場合は、主制御部２１５により切替器３１及び３２が動作し、その接点３２ａ，３２ｂが図３の破線に示す状態に切り替えられることで、ＩＳＤＮ基本群インタフェース回線２２をＩＳＤＮ基本群インタフェース回線１１からＩＳＤＮ基本群インタフェース回線１２に切り替え接続し、同時に接点３１ａ，３１ｂは図３の破線に示す状態に切り替えられる。
【００２４】
この操作により、ＩＳＤＮ基本群インタフェース回線１１は自動通話装置の回線インタフェース２１２とＰ−Ｐ接続となり、終端抵抗が付加される。また、ＩＳＤＮ基本群インタフェース回線１２はＰ−ＭＰ接続となり、自動通話装置の回線インタフェース部２１２の終端抵抗３４は開放され、自動機監視装置２１５の終端抵抗４０で終端される。
【００２５】
このように、接点３１ａにより終端抵抗３３を切り替えないとＩＳＤＮ基本群インタフェース回線１１側は終端抵抗が接続されなくなり、ＩＳＤＮ基本群インタフェース回線１１のインピーダンスがアンマッチングとなり、その後ＩＳＤＮ基本群インタフェース回線１１が障害復旧してもこれを正常に検出することができなくなるが、接点３１ａにより終端抵抗３３を付加することにより、その後の回線の復旧を検出することができ、ＩＳＤＮ基本群インタフェース回線１１が復旧すれば、上記障害発生時と逆の手順により回線の接続を元に戻すことができる。
【００２６】
また、ＩＳＤＮ基本群インタフェース回線１２においては、接点３１ｂにより終端抵抗３４を切り替えないと終端抵抗が並列に接続されたことになり、これもＩＳＤＮ基本群インタフェース回線１２のインピーダンスがアンマッチングとなり、正常に通信ができなくなるが、接点３１ｂにより終端抵抗３４を開放することでＩＳＤＮ基本群インタフェース回線１２のインピーダンス整合をとることができる。
【００２７】
なお、本実施の形態において、回線切替時のノイズや瞬断による誤動作防止のため、自動通話装置の回線インタフェース部２１２で回線制御のリトライや初期設定に対応している。
【００２８】
【発明の効果】
本発明によれば、各ＩＳＤＮ基本群インタフェース回線の回線状態を監視する制御手段がポイント−マルチポイント構成のＩＳＤＮ基本群インタフェース回線の回線障害を検出すると、この検出された障害情報をもとに回線切替手段を制御し、ポイント−マルチポイント構成のＩＳＤＮ基本群インタフェース回線を正常なＩＳＤＮ基本群インタフェース回線に切り替え接続する。これにより、正常なＩＳＤＮ基本群インタフェース回線を通してポイント−マルチポイント接続されたＩＳＤＮ端末装置の通信を可能にし、これらの通信を有効にバックアップすることができる。
【図面の簡単な説明】
【図１】本発明の実施の形態によるＩＳＤＮ基本群インタフェース回線バックアップ方式の基本構成図である。
【図２】本発明のＩＳＤＮ基本群インタフェース回線バックアップ方式を銀行等の自動機コーナーの自動通話装置に適用した場合の構成図である。
【図３】図１に示す回線切替部の具体的な回路構成図である。
【図４】従来におけるＩＳＤＮ基本群インタフェース回線によるユーザ・網インタフェースシステムの概略構成図である。
【符号の説明】
１１，１２，１５    ＩＳＤＮ基本群インタフェース回線
１１１，１２１    回線終端装置
１３    ＩＳＤＮ網
１４，１６Ａ〜１６Ｇ    ＩＳＤＮ端末装置
１４１    回線切替部（回線切替手段）
１４２    制御部（制御手段）
２１    自動通話装置
２１１    回線切替部
２１２    回線インタフェース部
２１３    通信制御部
２１４    電話機インタフェース部
２１５    主制御部
２２    ＩＳＤＮ基本群インタフェース回線
２３    ターミナルアダプタ
２４    自動機監視装置
２５    緊急放送用装置
２６    構内ＬＡＮ
２７    自動預貯金機
２８    自動現金支払機
２９    電話機
３１，３２    切替器
３３，３４    終端抵抗
【図１】
0003611687.tif 000002
【図２】
0003611687.tif 000003
【図３】
0003611687.tif 000004
【図４】
0003611687.tif 000005